(57)【要約】【課題】ネットワークサービス検索プロトコルが機能しない携帯端末に対して適切なＩＰアドレスを提供することができる情報処理装置を提供する。【解決手段】ＭＦＰ１０は、主回線及び副回線のうち、通信先との間にゲートウェイ１５が存在する主回線のＩＰアドレスをビーコン信号に優先的に設定する。【選択図】図４
2019053505.tif 000002
【特許請求の範囲】
【請求項１】
異なるアドレス情報が割り当てられる複数の回線を備え、前記複数の回線の中の一つの回線のアドレス情報が設定された近距離無線通信情報を近距離無線通信によって送信する情報処理装置であって、
前記複数の回線のうち通信先との間に異なるプロトコルの相互通信を行うための中継手段が存在する回線のアドレス情報を前記近距離無線通信情報に優先的に設定する設定手段を備えることを特徴とする情報処理装置。
【請求項２】
前記近距離無線通信情報に設定するアドレス情報に対応する回線をユーザに選択させる選択手段を更に備え、
前記複数の回線の全てが前記通信先との間に前記中継手段が存在する回線である場合、前記設定手段は、前記ユーザに選択された回線のアドレス情報を前記近距離無線通信情報に設定することを特徴とする請求項１記載の情報処理装置。
【請求項３】
前記複数の回線に前記通信先との間に前記中継手段が存在しない回線が含まれる場合、前記設定手段は、前記選択手段による前記ユーザの選択に関わらず、前記通信先との間に前記中継手段が存在する回線のアドレス情報を前記近距離無線通信情報に設定することを特徴とする請求項２記載の情報処理装置。
【請求項４】
前記ユーザに選択された回線と異なる回線のアドレス情報を設定する旨を通知する通知手段を更に備えることを特徴とする請求項３記載の情報処理装置。
【請求項５】
前記選択手段は、前記複数の回線のうち、前記通信先との間に前記中継手段が存在しない回線を前記ユーザが選択できないように制御することを特徴とする請求項３又は４記載の情報処理装置。
【請求項６】
前記近距離無線通信は、ＮＦＣ（Ｎｅａｒ  Ｆｉｅｌｄ  Ｃｏｍｍｕｎｉｃａｔｉｏｎ）及びＢＬＥ（Ｂｌｕｅｔｏｏｔｈ  Ｌｏｗ  Ｅｎｅｇｒｙ）通信の何れかであることを特徴とする請求項１乃至５のいずれか１項に記載の情報処理装置。
【請求項７】
前記中継手段はゲートウェイあることを特徴とする請求項１乃至６のいずれか１項に記載の情報処理装置。
【請求項８】
画像形成処理を行う画像形成装置であることを特徴とする請求項１乃至７のいずれか１項に記載の情報処理装置。
【請求項９】
異なるアドレス情報が割り当てられる複数の回線を備え、前記複数の回線の中の一つの回線のアドレス情報が設定された近距離無線通信情報を近距離無線通信によって送信する情報処理装置の制御方法であって、
前記複数の回線のうち通信先との間に異なるプロトコルの相互通信を行うための中継手段が存在する回線のアドレス情報を前記近距離無線通信情報に優先的に設定する設定ステップを有することを特徴とする情報処理装置の制御方法。
【請求項１０】
異なるアドレス情報が割り当てられる複数の回線を備え、前記複数の回線の中の一つの回線のアドレス情報が設定された近距離無線通信情報を近距離無線通信によって送信する情報処理装置の制御方法をコンピュータに実行させるプログラムであって、
前記情報処理装置の制御方法は、
前記複数の回線のうち通信先との間に異なるプロトコルの相互通信を行うための中継手段が存在する回線のＩＰアドレスを前記近距離無線通信情報に優先的に設定する設定ステップを有することを特徴とするプログラム。
【発明の詳細な説明】
【技術分野】
【０００１】
本発明は、情報処理装置及びその制御方法、並びにプログラムに関し、特に、近距離無線通信を行う情報処理装置及びその制御方法、並びにプログラムに関する。
【背景技術】
【０００２】
携帯端末から取得した印刷データに基づいて印刷を行う情報処理装置としてのＭＦＰが知られている。ユーザは携帯端末を用いて印刷処理を実行可能なＭＦＰ（以下、「印刷可能ＭＦＰ」という。）を検索する。例えば、携帯端末はｍＤＮＳ（ｍｕｌｔｉｃａｓｔ  ＤＮＳ）等のネットワークサービス検索プロトコルを用いて上記携帯端末と同じネットワークに属する複数の通信装置の中から印刷可能ＭＦＰの検索処理を行う。携帯端末は印刷可能ＭＦＰを探し当てると、上記印刷可能ＭＦＰから印刷可能ＭＦＰのＩＰアドレスを取得し、取得したＩＰアドレスを指定して印刷可能ＭＦＰに印刷データを送信する。検索処理では、携帯端末が接続される一のサブネットに印刷可能なＭＦＰが接続されている場合、携帯端末は上記印刷可能ＭＦＰを探し当てることが可能である。一方、携帯端末が接続される一のサブネットとゲートウェイを介して接続された他のサブネットに印刷可能ＭＦＰが接続され、且つ上記ゲートウェイがｍＤＮＳに対応していない場合、携帯端末は上記印刷可能なＭＦＰを探し当てることができない。これに対して、ＭＦＰから携帯端末にＭＦＰのＩＰアドレスを含む近距離無線通信情報を近距離無線通信によって送信する技術が提案されている（特許文献１参照）。携帯端末は、取得したＩＰアドレスにアクセスすることで、ゲートウェイの仕様上ｍＤＮＳが機能しないＭＦＰに対し、印刷データを送信することが可能となる。
【０００３】
近年では、複数の回線を備えるＭＦＰ（以下、「複数回線ＭＦＰ」という。）が開発され、複数回線ＭＦＰは異なる複数のネットワークを使い分け可能である。例えば、複数回線ＭＦＰは、複数のサブネットをゲートウェイで接続した大規模なネットワークを主回線として使用し、また、ゲートウェイを含まず一つのサブネットのみで構成される小規模なネットワークを副回線として使用する。複数回線ＭＦＰでは、各回線に対してＩＰアドレスが割り当てられ、各回線のＩＰアドレスは互いに異なる。複数回線ＭＦＰにおいても、近距離無線通信によって携帯端末にＩＰアドレスを送信する場合、近距離無線通信情報にＩＰアドレスを設定する必要があるが、近距離無線通信情報には１つのＩＰアドレスのみが設定可能である。複数回線ＭＦＰでは、主回線及び副回線のうち、ゲートウェイを含む大規模なネットワークに使用される主回線において、ゲートウェイの仕様上ｍＤＮＳが機能しない可能性がある。ｍＤＮＳが機能しない携帯端末に対して適切なＩＰアドレスを提供するといった観点で、複数回線ＭＦＰでは主回線及び副回線のうち、主回線のＩＰアドレスが近距離無線通信情報に設定されるのが好ましい。
【先行技術文献】
【特許文献】
【０００４】
【特許文献１】特開２０１６−０１８２８３号公報
【発明の概要】
【発明が解決しようとする課題】
【０００５】
しかしながら、複数回線ＭＦＰでは、近距離無線通信情報に設定されるＩＰアドレスは複数回線ＭＦＰに割り当てられた全てのＩＰアドレスの中から決定されるので、主回線のＩＰアドレスが設定されるとは限らない。すなわち、従来のＭＦＰでは、ｍＤＮＳが機能しない携帯端末に対して適切なＩＰアドレスを提供することができない。
【０００６】
本発明の目的は、ネットワークサービス検索プロトコルが機能しない携帯端末に対して適切なＩＰアドレスを提供することができる情報処理装置及びその制御方法、並びにプログラムを提供することにある。
【課題を解決するための手段】
【０００７】
上記目的を達成するために、本発明の情報処理装置は、異なるＩＰアドレスが割り当てられる複数の回線を備え、前記複数の回線の中の一つの回線のＩＰアドレスが設定された近距離無線通信情報を近距離無線通信によって送信する情報処理装置であって、前記複数の回線のうち、通信先との間に異なるプロトコルの相互通信を行うための中継手段が存在する回線のＩＰアドレスを前記近距離無線通信情報に優先的に設定する設定手段を備えることを特徴とする。
【発明の効果】
【０００８】
本発明によれば、ネットワークサービス検索プロトコルが機能しない携帯端末に対して適切なＩＰアドレスを提供することができる。
【図面の簡単な説明】
【０００９】
【図１】本発明の実施の形態に係る情報処理装置としてのＭＦＰのネットワーク構成を説明するための図である。
【図２】図１のＭＦＰのハードウェア構成を概略的に示すブロック図である。
【図３】図２の操作部に表示される操作画面の一例を示す図である。
【図４】図１のＭＦＰによって実行される設定処理の手順を示すフローチャートである。
【図５】図１のＭＦＰによって送信されるビーコン信号の構成を説明するための図である。
【図６】図２の操作部に表示される選択画面の一例を示す図である。
【図７】図４の設定処理の変形例の手順を示すフローチャートである。
【図８】図１のＭＦＰによって送信されるビーコン信号の構成を説明するための図である。
【図９】図２の操作部に表示される設定画面の一例を示す図である。
【発明を実施するための形態】
【００１０】
以下、本発明の実施の形態を図面を参照しながら詳述する。
【００１１】
図１は、本発明の実施の形態に係る情報処理装置としてのＭＦＰ１０のネットワーク構成を説明するための図である。
【００１２】
ＭＦＰ１０はＬＡＮ１１に有線ＬＡＮ接続され、ＬＡＮ１１に属する通信装置、例えば、携帯端末１２ａと有線ＬＡＮ通信を行う。また、ＭＦＰ１０はアクセスポイント１３を介してＬＡＮ１４と無線ＬＡＮ接続され、ＬＡＮ１４に属する通信装置、例えば、携帯端末１２ｂと無線ＬＡＮ通信を行う。携帯端末１２ａ、１２ｂはネットワークサービス検索プロトコルにより、ネットワーク上で所望のサービスを提供する通信装置の検索処理を行う。ネットワークサービス検索プロトコルは、ｍＤＮＳ、ＷＳ−Ｄｉｓｃｏｖｅｒｙ（Web Service Discovery）、ＳＳＤＰ（Simple Service Discovery Protocol）等である。携帯端末１２ａは、例えば、ｍＤＮＳを用いてＬＡＮ１１に属する複数の通信装置の中から印刷機能を有するＭＦＰ１０を検索し、ＭＦＰ１０から該ＭＦＰ１０のＩＰアドレスを取得する。携帯端末１２ａは取得したＩＰアドレスを指定して、印刷の実行を指示する印刷データをＭＦＰ１０へ送信する。
【００１３】
また、ＭＦＰ１０は異なるプロトコルの相互通信を行うためのゲートウェイ（中継手段）を含む大規模なネットワークに属する通信装置とデータ通信を行う。例えば、ＭＦＰ１０はＬＡＮ１１とゲートウェイ１５を介して接続されたＬＡＮ１６に属する携帯端末１２ｃとアクセスポイント１７を利用して有線ＬＡＮ通信を行う。ここで、ゲートウェイ１５がｍＤＮＳ等のネットワークサービス検索プロトコルに対応していないと、ネットワークサービス検索プロトコルが機能せず、携帯端末１２ｃは上記検索処理によってＭＦＰ１０を探し当てることができない。これに対応して、本実施の形態では、ＭＦＰ１０が該ＭＦＰ１０のＩＰアドレスやＭＡＣアドレスといったアドレス情報を含む近距離無線通信情報を近距離無線通信によって携帯端末１２ｃへ送信する。近距離無線通信はＮＦＣ（Ｎｅａｒ  Ｆｉｅｌｄ  Ｃｏｍｍｕｎｉｃａｔｉｏｎ）及びＢＬＥ（Ｂｌｕｅｔｏｏｔｈ（登録商標）  Ｌｏｗ  Ｅｎｅｇｒｙ）通信である。
【００１４】
図２は、図１のＭＦＰ１０のハードウェア構成を概略的に示すブロック図である。
【００１５】
図２において、ＭＦＰ１０は制御部２００、プリンタ２０６、スキャナ２０８、操作部２１０、有線ＬＡＮチップ２１２、無線ＬＡＮチップ２１４、Ｂｌｕｅｔｏｏｔｈチップ２１６、及びＮＦＣタグ２１８を備える。制御部２００は、プリンタ２０６、スキャナ２０８、操作部２１０、有線ＬＡＮチップ２１２、無線ＬＡＮチップ２１４、Ｂｌｕｅｔｏｏｔｈチップ２１６、及びＮＦＣタグ２１８と接続されている。また、制御部２００は、ＣＰＵ２０１、ＲＡＭ２０２、ＲＯＭ２０３、ＨＤＤ２０４、プリンタＩ／Ｆ２０５、スキャナＩ／Ｆ２０７、操作部Ｉ／Ｆ２０９を備える。また、制御部２００は、有線ＬＡＮＩ／Ｆ２１１、無線ＬＡＮＩ／Ｆ２１３、Ｂｌｕｅｔｏｏｔｈ通信部２１５、及びＮＦＣ部２１７を備える。ＣＰＵ２０１、ＲＡＭ２０２、ＲＯＭ２０３、ＨＤＤ２０４、プリンタＩ／Ｆ２０５、スキャナＩ／Ｆ２０７はシステムバス２１９を介して互いに接続されている。また、それらに加えて、操作部Ｉ／Ｆ２０９、有線ＬＡＮＩ／Ｆ２１１、無線ＬＡＮＩ／Ｆ２１３、Ｂｌｕｅｔｏｏｔｈ通信部２１５、及びＮＦＣ部２１７も、システムバス２１９を介して互いに接続されている。
【００１６】
ＭＦＰ１０は画像形成処理を行う画像形成装置であり、印刷機能、スキャン機能、及び通信機能を備える。制御部２００はＭＦＰ１０全体の動作を制御する。ＣＰＵ２０１はＲＯＭ２０３やＨＤＤ２０４に格納された制御プログラムを読み出して各制御を行う。ＲＡＭ２０２はＣＰＵ２０１の作業領域として、また、各データの一時格納領域として用いられる。ＲＯＭ２０３はＣＰＵ２０１によって実行される制御プログラム等を格納する。ＨＤＤ２０４はプログラム、印刷データ、スキャン画像等を格納する。プリンタＩ／Ｆ２０５は制御部２００及びプリンタ２０６を接続する。プリンタ２０６は携帯端末１２ａ〜１２ｃ等の通信装置から受信した印刷データ、及びスキャナ２０８によって生成されたスキャン画像等に基づいて用紙に印刷を行う。スキャナＩ／Ｆ２０７は制御部２００及びスキャナ２０８を接続する。スキャナ２０８は図示しない原稿台に配置された原稿を読み取ってスキャン画像を生成する。スキャン画像はＨＤＤ２０４に格納される。操作部Ｉ／Ｆ２０９は制御部２００及び操作部２１０を接続する。操作部２１０はタッチパネル機能を有する図示しない液晶表示部及びキーボードを備える。操作部２１０はジョブの実行指示やＭＦＰ１０の設定変更指示等を受け付ける。有線ＬＡＮＩ／Ｆ２１１は有線ＬＡＮチップ２１２を介して通信装置と有線ＬＡＮ通信を行う。無線ＬＡＮＩ／Ｆ２１３は無線ＬＡＮチップ２１４を介して通信装置と無線ＬＡＮ通信を行う。本実施の形態では、ＭＦＰ１０は、有線ＬＡＮＩ／Ｆ２１１及び無線ＬＡＮＩ／Ｆ２１３の何れか一方のみを使用する単一回線モード、及び有線ＬＡＮＩ／Ｆ２１１及び無線ＬＡＮＩ／Ｆ２１３の両方を使用する複数回線モードを備える。ユーザは操作部２１０に表示された後述する図３の操作画面３００を用いて、使用するモードを設定可能である。Ｂｌｕｅｔｏｏｔｈ通信部２１５は通信装置とのＢＬＥ通信の制御を行う。例えば、Ｂｌｕｅｔｏｏｔｈ通信部２１５は予め設定された所定の間隔でＢｌｕｅｔｏｏｔｈチップ２１６からＢＬＥ通信によって近距離無線通信情報であるビーコン信号を発信する。ビーコン信号にはＭＦＰ１０のアドレス情報が含まれる。ＮＦＣ部２１７は通信装置とのＮＦＣの制御を行う。例えば、ＮＦＣ部２１７はＮＦＣタグ２１８からＮＦＣによって近距離無線通信情報を送信する。
【００１７】
図３は、図２の操作部２１０に表示される操作画面３００の一例を示す図である。
【００１８】
操作画面３００はチェックボックス３０１〜３０３及び決定ボタン３０４を備える。ユーザはチェックボックス３０１〜３０３の中から１つのチェックボックスを選択可能である。チェックボックス３０１が選択されると、ＭＦＰ１０では単一回線（有線）モードが設定される。単一回線（有線）モードでは有線ＬＡＮＩ／Ｆ２１１及び無線ＬＡＮＩ／Ｆ２１３のうち、有線ＬＡＮＩ／Ｆ２１１のみが使用される。チェックボックス３０２が選択されると、ＭＦＰ１０では単一回線（無線）モードが設定される。単一回線（無線）モードでは有線ＬＡＮＩ／Ｆ２１１及び無線ＬＡＮＩ／Ｆ２１３のうち、無線ＬＡＮＩ／Ｆ２１３のみが使用される。チェックボックス３０３が選択されると、ＭＦＰ１０では複数回線モードが設定される。複数回線モードでは有線ＬＡＮＩ／Ｆ２１１及び無線ＬＡＮＩ／Ｆ２１３の両方が使用される。具体的に、複数回線モードでは有線ＬＡＮＩ／Ｆ２１１が主回線として使用され、また、無線ＬＡＮＩ／Ｆ２１３が副回線として使用される。本実施の形態では、一例として、主回線はＬＡＮ１１及びＬＡＮ１６を含む大規模なネットワークで構成され、主回線にはゲートウェイ１５が含まれる。一方、副回線はＬＡＮ１４のみの小規模なネットワークで構成され、副回線にはゲートウェイが含まれない。複数回線モードでは、各回線において異なるＩＰアドレスが割り当てられる。以下では、主回線向けに割り当てられたＩＰアドレスを主回線のＩＰアドレスとし、副回線向けに割り当てられたＩＰアドレスを副回線のＩＰアドレスとする。決定ボタン３０４が選択されると、操作画面３００において設定されたモードを示す設定値がＨＤＤ２０４に格納される。
【００１９】
ところで、ＭＦＰ１０では、ｍＤＮＳが機能しない携帯端末に対してＭＦＰ１０のアドレス情報を含む近距離無線通信情報が近距離無線通信によって送信される。ＭＦＰ１０では複数回線モードが設定された場合、主回線及び副回線の各々に異なるＩＰアドレスが割り当てられるが、近距離無線通信の仕様上、近距離無線通信情報には主回線及び副回線の何れか一方のＩＰアドレスのみが設定可能である。ＭＦＰ１０では、主回線及び副回線のうち、ゲートウェイ１５を含む大規模なネットワークで構成される主回線において、ゲートウェイ１５の仕様上ｍＤＮＳが機能しない可能性がある。ｍＤＮＳが機能しない携帯端末に対して適切なＩＰアドレスを提供するといった観点で、ＭＦＰ１０では主回線及び副回線のうち、主回線のＩＰアドレスが近距離無線通信情報に設定されるのが好ましい。しかしながら、ＭＦＰ１０では、近距離無線通信情報に設定されるＩＰアドレスはＭＦＰ１０に割り当てられた全てのＩＰアドレスの中から決定されるので、主回線のＩＰアドレスが設定されるとは限らない。すなわち、従来では、ｍＤＮＳが機能しない携帯端末に対して適切なＩＰアドレスを提供することができない。
【００２０】
これに対応して、本実施の形態では、主回線及び副回線のうち、通信先との間にゲートウェイ１５が存在する主回線のＩＰアドレスが近距離無線通信情報に優先的に設定される。
【００２１】
図４は、図１のＭＦＰ１０によって実行される設定処理の手順を示すフローチャートである。
【００２２】
図４の処理は、ＣＰＵ２０１がＲＯＭ２０３やＨＤＤ２０４に格納されたプログラムを実行することによって行われ、ＭＦＰ１０の起動時や操作画面３００の設定変更が行われた際に実行される。図４の処理では、近距離無線通信情報の一例であるビーコン信号にＭＦＰ１０のＩＰアドレスが設定される。
【００２３】
図４において、まず、ＣＰＵ２０１は複数回線モードであるか否かを判別する（ステップＳ４０１）。
【００２４】
ステップＳ４０１の判別の結果、複数回線モードであるとき、ＣＰＵ２０１は主回線のＩＰアドレスを図５のビーコン信号５０１に設定する（ステップＳ４０２）。すなわち、本実施の形態では、主回線及び副回線のうち、通信先との間にゲートウェイ１５が存在する主回線のＩＰアドレスがビーコン信号５０１に優先的に設定される。ビーコン信号５０１にはＭＦＰ１０と通信を行うために必要となる情報（以下、「ＭＦＰ１０の通信情報」という。）、具体的に、接続情報、パス、ポート番号、ＩＰアドレス、及び送信電波強度が含まれる。
【００２５】
次いで、ＣＰＵ２０１はビーコン信号５０１に対し、ＭＦＰ１０の通信情報におけるＩＰアドレス以外の他の情報を設定し（ステップＳ４０３）、予め設定された所定の間隔でビーコン信号５０１を発信し（ステップＳ４０４）、本処理を終了する。
【００２６】
ステップＳ４０１の判別の結果、複数回線モードでないとき、ＣＰＵ２０１は操作画面３００において設定されたモードに対応するＩＰアドレスをビーコン信号５０１に設定する（ステップＳ４０５）。ステップＳ４０５では、操作画面３００において単一回線（有線）モードが設定された場合、ＣＰＵ２０１は有線ＬＡＮＩ／Ｆ２１１による有線ＬＡＮ通信向けに割り当てられたＩＰアドレスをビーコン信号５０１に設定する。また、操作画面３００において単一回線（無線）モードが設定された場合、ＣＰＵ２０１は無線ＬＡＮＩ／Ｆ２１３による無線ＬＡＮ通信向けに割り当てられたＩＰアドレスをビーコン信号５０１に設定する。次いで、ＣＰＵ２０１はステップＳ４０３以降の処理を行う。ビーコン信号５０１を解析可能な通信装置、例えば、携帯端末１２ｃがビーコン信号５０１を受信すると、携帯端末１２ｃでは、受信したビーコン信号５０１から取得した情報に基づいてＭＦＰ１０が印刷可能な装置として表示される。
【００２７】
上述した図４の処理によれば、主回線及び副回線のうち、通信先との間にゲートウェイ１５が存在する主回線のＩＰアドレスがビーコン信号に優先的に設定される。これにより、ｍＤＮＳが機能しない携帯端末１２ｃに対して適切なＩＰアドレスを提供することができる。
【００２８】
以上、本発明について、上述した実施の形態を用いて説明したが、本発明は上述した実施の形態に限定されるものではない。例えば、ＭＦＰ１０が異なるＩＰアドレスが割り当てられる３つ以上の回線を備えていても良い。例えば、第１の回線には通信先との間にゲートウェイ１５が存在し、且つ第２の回線及び第３の回線には通信先との間にゲートウェイ１５が存在しない場合、第１の回線のＩＰアドレスがビーコン信号に優先的に設定される。これにより、上述した実施の形態と同様の効果を奏することができる。
【００２９】
また、主回線の他に、副回線もゲートウェイ１５を含む大規模なネットワークに使用されても良く、このとき、図６の選択画面６００を用いてユーザにビーコン信号５０１に設定するＩＰアドレスを選択させても良い。選択画面６００はビーコン信号に設定するＩＰアドレスに対応する回線を設定する。選択画面６００はチェックボックス６０１、６０２を備える。チェックボックス６０１が選択されると、ビーコン信号５０１には主回線のＩＰアドレスが設定される。チェックボックス６０２が選択されると、ビーコン信号５０１には副回線のＩＰアドレスが設定される。これにより、ユーザが所望する回線のＩＰアドレスをＢＬＥ通信によって提供することができる。
【００３０】
上述した実施の形態では、主回線及び副回線のうち、主回線のみがゲートウェイ１５を含む大規模なネットワークに使用される場合、選択画面６００における設定に関わらず、ビーコン信号５０１に主回線のＩＰアドレスを設定しても良い。これにより、主回線及び副回線のうち、主回線のみがゲートウェイ１５を含む大規模なネットワークに使用される場合に、選択画面６００おけるユーザの誤設定を回避することができる。
【００３１】
また、上述した実施の形態では、主回線のみがゲートウェイ１５を含む大規模なネットワークに使用され、且つ選択画面６００における設定と異なる回線のＩＰアドレスがビーコン信号５０１に設定される場合、その旨を示す通知を操作部２１０に表示しても良い。具体的に、選択画面６００においてチェックボックス６０２が選択されているにも関わらず、ビーコン信号５０１に主回線のＩＰアドレスが設定される場合、次のように制御する。選択画面６００における設定と異なる回線のＩＰアドレスがビーコン信号５０１に設定された旨を示す通知を操作部２１０に表示する。これにより、ユーザが携帯端末１２ｃ等を用いてＢＬＥ通信によってＭＦＰ１０のＩＰアドレスを取得する前に、ユーザが設定したＩＰアドレスと異なるＩＰアドレスがＢＬＥ通信によって送信されることをユーザに知らせることができる。
【００３２】
さらに、上述した実施の形態では、主回線のみがゲートウェイ１５を含む大規模なネットワークに使用された場合、選択画面６００において、副回線に対応するチェックボックス６０２がユーザに選択されないように制御されても良い。例えば、ユーザによるチェックボックス６０２の選択操作を受け付けず、且つ選択操作を受け付けない状態であることを示すグレーでチェックボックス６０２を操作部２１０に表示する。また、チェックボックス６０２を選択画面６００に表示しない。これにより、主回線及び副回線のうち、主回線のみがゲートウェイ１５を含む大規模なネットワークに使用される場合に、主回線以外のＩＰアドレスがユーザによってビーコン信号５０１に設定されてしまう事態を回避することができる。
【００３３】
上述した実施の形態では、近距離無線通信はＢＬＥ通信に限られず、ＮＦＣであっても良い。例えば、ＣＰＵ２０１は、複数回線モードであるとき、主回線のＩＰアドレスを近距離無線通信情報に設定する。一方、複数回線モードでないとき、設定されたモードに対応するＩＰアドレスを近距離無線通信情報に設定する。その後、例えば、携帯端末１２ｃがＭＦＰ１０のＮＦＣタグ２１８に近付いた際にＣＰＵ２０１は上記近距離無線通信情報を携帯端末１２ｃにＮＦＣによって送信する。これにより上述した実施の形態と同様の効果を奏することができる。
【００３４】
上述した実施の形態では、ビーコン信号の種別に応じて設定するＩＰアドレスを決定しても良い。
【００３５】
図７は、図４の設定処理の変形例の手順を示すフローチャートである。
【００３６】
図７の処理も、ＣＰＵ２０１がＲＯＭ２０３やＨＤＤ２０４に格納されたプログラムを実行することによって行われ、ＭＦＰ１０の起動時や操作画面３００の設定変更が行われた際に実行される。図７の処理では、近距離無線通信情報の一例であるビーコン信号にＭＦＰ１０のアドレス情報が設定される。
【００３７】
ＭＦＰ１０は、ビーコン信号５０１の他に、図８のビーコン信号８０１を送信可能である。ビーコン信号８０１にはＭＦＰ１０の通信情報としてＭＦＰ１０のＭＡＣアドレス、デバイス名称、及び送信電波強度等が含まれる。なお、本実施の形態では、ビーコン信号８０１にＭＦＰ１０のＩＰアドレスが設定されても良い。ビーコン信号８０１を解析可能な通信装置、例えば、携帯端末１２ｃがビーコン信号８０１を受信すると、携帯端末１２ｃはビーコン信号８０１に含まれるＭＡＣアドレス及びデバイス名称からＭＦＰ１０を特定する。また、携帯端末１２ｃは送信電波強度からＭＦＰ１０までの距離を算出し、距離に応じた処理を実行する。ＭＦＰ１０では、ビーコン信号５０１、８０１のうち、送信するビーコン信号を図９の設定画面９００を用いてユーザが設定可能である。ＭＦＰ１０では、ユーザがビーコン信号５０１に対応するチェックボックス９０１及びビーコン信号８０１に対応するチェックボックス９０２の何れかを選択し、決定ボタン９０３を選択すると、設定画面９００における設定内容が反映される。
【００３８】
図７において、まず、ＣＰＵ２０１は設定画面９００の設定を確認し、ビーコン信号５０１、８０１の何れを送信するかを確認する（ステップＳ７０１）。
【００３９】
ステップＳ７０１の判別の結果、ビーコン信号５０１を送信するとき、ＣＰＵ２０１はステップＳ４０１〜Ｓ４０５の処理を行う。一方、ステップＳ７０１の判別の結果、ビーコン信号８０１を送信するとき、ＣＰＵ２０１は複数回線モードであるか否かを判別する（ステップＳ７０２）。
【００４０】
ステップＳ７０２の判別の結果、複数回線モードであるとき、ＣＰＵ２０１は選択画面６００における設定を確認する（ステップＳ７０３）。
【００４１】
ステップＳ７０３の判別の結果、選択画面６００において主回線が設定されているとき、ＣＰＵ２０１は主回線のＩＰアドレスをビーコン信号８０１に設定し（ステップＳ７０４）、ステップＳ４０３以降の処理を行う。
【００４２】
ステップＳ７０３の判別の結果、選択画面６００において副回線が設定されているとき、ＣＰＵ２０１は副回線のＩＰアドレスをビーコン信号８０１に設定し（ステップＳ７０５）、ステップＳ４０３以降の処理を行う。
【００４３】
ステップＳ７０２の判別の結果、複数回線モードでないとき、ＣＰＵ２０１は操作画面３００において設定されたモードに対応するＩＰアドレスをビーコン信号８０１に設定する（ステップＳ７０６）。ステップＳ７０６では、操作画面３００において単一回線（有線）モードが設定された場合、ＣＰＵ２０１は有線ＬＡＮＩ／Ｆ２１１による有線ＬＡＮ通信向けに割り当てられたＩＰアドレスをビーコン信号８０１に設定する。また、操作画面３００において単一回線（無線）モードが設定された場合、ＣＰＵ２０１は無線ＬＡＮＩ／Ｆ２１３による無線ＬＡＮ通信向けに割り当てられたＩＰアドレスをビーコン信号８０１に設定する。次いで、ＣＰＵ２０１はステップＳ４０３以降の処理を行う。
【００４４】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００４５】
１０  ＭＦＰ
１５  ゲートウェイ
２０１  ＣＰＵ
２１０  操作部
６００  選択画面
【図１】
2019053505.tif 000003
【図２】
2019053505.tif 000004
【図３】
2019053505.tif 000005
【図４】
2019053505.tif 000006
【図５】
2019053505.tif 000007
【図６】
2019053505.tif 000008
【図７】
2019053505.tif 000009
【図８】
2019053505.tif 000010
【図９】
2019053505.tif 000011